(57)【要約】【課題】表示画面に設けた表示エリアと、これら表示エリアに表示する素材データの対応付けを指定するだけで、複数の番組を簡単に表示することができる情報表示方法、情報表示装置および情報配信表示システムを得ること。【解決手段】コンテンツデータである素材データ２５１〜２５３と、素材データ２５１〜２５３を表示するための表示エリア２６２〜２６５が定義されるテンプレートファイル２６１と、テンプレートファイル２６１および表示エリア２６２〜２６５に表示する素材データ２５１〜２５３とを対応付けたプレゼンテーションファイルとに基づいて、素材データ２５２を表示エリア２６２に、素材データ２５２を表示エリア２６３，２６４に、素材データ２５３を表示エリア２６５に表示して、素材データ２５１〜２５３を１つに合成して番組２７０を表示する。【選択図】        図１
2005196691.tif 000002
【特許請求の範囲】
【請求項１】
１〜複数の素材データ、これら素材データを表示するための１〜複数の表示エリアが定義されるテンプレートファイル、およびこのテンプレートファイルと前記１〜複数の表示エリアに表示する前記素材データとを対応付けたプレゼンテーションファイルに基づいて、前記１〜複数の表示エリアに前記プレゼンテーションファイルによって対応付けられた前記素材データが表示された１つの番組を表示することを特徴とする番組表示方法。
【請求項２】
1〜複数のテンプレートファイルを準備しておき、これらのテンプレートファイル毎にプレゼンテーションファイルを作成して、これら作成した複数のプレゼンテーションファイルを択一指定することによって表示画面のレイアウトを変更することを特徴とする請求項１に記載の番組表示方法。
【請求項３】
異なる番組に用いる前記素材データを複数準備しておき、前記テンプレートファイルの前記１〜複数の表示エリアに対応付ける前記素材データを異ならせた複数のプレゼンテーションファイルを作成して、これら作成した複数のプレゼンテーションファイルを択一指定することによって異なる番組を表示することを特徴とする請求項１に記載の番組表示方法。
【請求項４】
１〜複数の素材データ、これら素材データを表示するための１〜複数の表示エリアが定義されている１〜複数のテンプレートファイル、およびこのテンプレートファイルと前記１〜複数の表示エリアに表示する前記素材データとを対応付けた１〜複数のプレゼンテーションファイルとを格納するデータ格納部と、
予め定められた各番組の表示スケジュールに関する情報にしたがって、表示する番組に対応するプレゼンテーションファイルについての再生指示を出力するスケジュール管理処理部と、
このスケジュール管理処理部によって出力された再生指示に対応するプレゼンテーションファイルと、このプレゼンテーションファイルに定義されているテンプレートファイルおよび素材データとを前記データ格納部から読み出して、読み出したプレゼンテーションファイルに定義されている前記１〜複数の表示エリアに表示する前記素材データとの対応付けにしたがって前記テンプレートファイルに定義されている１〜複数の表示エリアに前記素材データを再生する再生処理部と、
この再生処理部によって各表示エリアに再生された素材データを表示する表示部と、
を備えることを特徴とする情報表示装置。
【請求項５】
番組を作成する情報作成装置と、この情報作成装置によって作成された番組を保管するデータ配信サーバと、このデータ配信サーバに保管されている番組をダウンロードして表示する番組表示装置と、を備えた番組配信表示システムにおいて、
前記情報作成装置は、
１〜複数の素材データと、これら素材データを表示するための１〜複数の表示エリアが定義されている１〜複数のテンプレートファイルとを格納する第１のデータ格納部と、
前記１〜複数のテンプレートファイルの中から選択した１つのテンプレートファイルと、当該テンプレートファイルの１〜複数の表示エリアに表示する前記素材データとを対応付けたプレゼンテーションファイルを作成するプレゼンテーション作成処理部と、
このプレゼンテーション作成処理部によって作成された１〜複数のプレゼンテーションファイルに定義されているテンプレートファイルおよび素材データを前記第１のデータ格納部から読み出して、これら読み出したテンプレートファイルおよび素材データと、前記１〜複数のプレゼンテーションファイルとを含むプレゼンテーションパックを前記データ配信サーバに送信するパック配信処理部と、
を備え、
前記番組表示装置は、
前記データ配信サーバからダウンロードした１〜複数のプレゼンテーションファイルと、これらプレゼンテーションファイルに定義されているテンプレートファイルおよび素材データを含む前記プレゼンテーションパックを格納する第２のデータ格納部と、
予め定められた各番組の表示スケジュールに関する情報にしたがって、表示する番組に対応するプレゼンテーションファイルについての再生指示を出力するスケジュール管理処理部と、
このスケジュール管理処理部によって出力された再生指示に対応するプレゼンテーションファイルと、このプレゼンテーションファイルに定義されているテンプレートファイルおよび素材データとを前記第２のデータ格納部から読み出して、読み出したプレゼンテーションファイルに定義されている前記１〜複数の表示エリアに表示する前記素材データとの対応付けにしたがって前記テンプレートファイルに定義されている１〜複数の表示エリアに前記素材データを再生する再生処理部と、
この再生処理部によって各表示エリアに再生された素材データを表示する表示部と、
を備えることを特徴とする情報配信表示システム。
【発明の詳細な説明】
【技術分野】
【０００１】
この発明は、動画像、静止画、文字情報などの情報を提供する情報表示方法、情報表示装置および情報配信表示システムに関するものである。
【背景技術】
【０００２】
従来から、情報作成装置によってビルの館内案内、百貨店の各フロアの案内とそのフロアで取り扱っている商品の紹介、不動産物件の紹介などの情報（番組）を作成し、作成した番組をインターネットやＬＡＮ（Local Area Network）などのネットワークを介して情報表示装置に配信して、情報視聴者に番組を提供する情報配信表示システムがある。情報配信表示システムでは、情報作成装置が番組を作成する際には、プロデューサーが情報視聴者に提供すべき情報を選別して、選別した情報を盛り込んで番組を１つ１つ作成しなければならず、手間のかかるものであった。
【０００３】
このような問題を改善するために、特許文献１に記載の従来技術には、販売図面データベースと、地図データベースと、販売図面作成端末と、サーバを有し、販売図面作成端末から要求を受けると、サーバは不動産物件の写真データ、間取りデータ、販売図面または広告のチラシのレイアウトデータ、関連情報を出力し、販売図面作成端末において上記データを用いて販売図面または広告チラシが作成されると、作成された販売図面または広告チラシをサーバは販売図面データベースに記憶し、さらに一般ユーザ端末からのアクセスによって記憶された販売図面または広告チラシを提供する広告作成システムに関する技術が開示されている。
【０００４】
具体的には、不動産物件の販売図面または広告チラシを作成するために必要な情報（地図、不動産物件の写真データ、間取りデータおよび関連情報）と、レイアウトデータとをデータベースとして記憶しておき、プロデューサー（番組作成者、この場合は販売図面または広告チラシの作成者)によって販売図面作成端末（情報作成装置）から登録ＮＯ、名称、価格、交通、所在地、土地、建物、制限、施設、備考、メインコピー、サブコピーおよび取引形態等に関するデータが入力されると、サーバはこれらの入力情報を登録ＮＯに対応して記憶する。サーバは、地図データベースから所在地が含まれる地図を読み出して、読み出した地図を販売図面作成端末に表示する。表示した地図がプロデューサーによって決定されると、決定された地図を登録ＮＯに対応して記憶する。また、プロデューサーによって販売図面作成装置からレイアウトデータが決定されると、決定されたレイアウトデータに基づいて入力情報を表示する。プロデューサーは、販売図面作成装置を用いて販売図面データベースから写真データおよび間取りデータを読み出して、レイアウトデータのスペース部分に写真データおよび間取りデータを貼り付けて販売図面または広告チラシを作成する。サーバは、写真データおよび間取りデータが貼り付けられた販売図面または広告チラシを販売図面データベースに記憶する。サーバは、一般ユーザ端末（情報表示装置）からの要求によって、販売図面データベースに記憶している販売図面または広告チラシを提供する。
【０００５】
【特許文献１】特開２００３−３１６８５９号公報
【発明の開示】
【発明が解決しようとする課題】
【０００６】
上記従来技術では、番組（販売図面または広告チラシ）に必要な情報をデータベース化しておき、データベースから必要な情報を読み出して番組を作成するようにしているため、番組を簡易にかつ低コストで作成することができる。
【０００７】
しかしながら、複数の番組を作成する際には、データベース化されていない番組固有の情報を入力し、レイアウトデータを選択し、データベースから読み出した情報を貼り付けるという煩雑な処理をそのつど行なわなければならないという問題が一例として挙げられる。すなわち、複数の番組を作成する際には、手間がかかってしまうという問題が一例として挙げられる。
【０００８】
また、上記従来技術では、地図、写真データおよび間取りデータを貼り付けた販売図面または広告チラシ、すなわち完成品の番組を一般ユーザ端末に配信するようにしているため、データ量が多くなり、一般ユーザ端末から要求があってからデータを配信するまでに時間がかかってしまうという問題が一例として挙げられる。特に、番組の一部に動画データが含まれている場合には、動画データ以外の、写真データおよび間取りデータなどの静止画や、価格、交通などのテキストデータを含めて１つの動画データとして扱う必要があるため、静止画のデータと比較してよりデータ量が多くなり、データの配信により時間がかかってしまう。
【０００９】
本発明は、上記に鑑みて成されたものであって、表示画面に設けた表示エリアと、これら表示エリアに表示する素材データの対応付けを指定するだけで、複数の番組を簡単に表示することができる情報表示方法、情報表示装置および情報配信表示システムを得ることを目的とする。
【課題を解決するための手段】
【００１０】
請求項１に記載の発明は、１〜複数の素材データ、これら素材データを表示するための１〜複数の表示エリアが定義されるテンプレートファイル、およびこのテンプレートファイルと前記１〜複数の表示エリアに表示する前記素材データとを対応付けたプレゼンテーションファイルに基づいて、前記１〜複数の表示エリアに前記プレゼンテーションファイルによって対応付けられた前記素材データが表示された１つの番組を表示することを特徴とする。
【００１１】
また、請求項４に記載の発明は、１〜複数の素材データ、これら素材データを表示するための１〜複数の表示エリアが定義されている１〜複数のテンプレートファイル、およびこのテンプレートファイルと前記１〜複数の表示エリアに表示する前記素材データとを対応付けた１〜複数のプレゼンテーションファイルとを格納するデータ格納部と、予め定められた各番組の表示スケジュールに関する情報にしたがって、表示する番組に対応するプレゼンテーションファイルについての再生指示を出力するスケジュール管理処理部と、このスケジュール管理処理部によって出力された再生指示に対応するプレゼンテーションファイルと、このプレゼンテーションファイルに定義されているテンプレートファイルおよび素材データとを前記データ格納部から読み出して、読み出したプレゼンテーションファイルに定義されている前記１〜複数の表示エリアに表示する前記素材データとの対応付けにしたがって前記テンプレートファイルに定義されている１〜複数の表示エリアに前記素材データを再生する再生処理部と、この再生処理部によって各表示エリアに再生された素材データを表示する表示部と、を備えることを特徴とする。
【００１２】
また、請求項５に記載の発明は、番組を作成する情報作成装置と、この情報作成装置によって作成された番組を保管するデータ配信サーバと、このデータ配信サーバに保管されている番組をダウンロードして表示する番組表示装置と、を備えた番組配信表示システムにおいて、前記情報作成装置は、１〜複数の素材データと、これら素材データを表示するための１〜複数の表示エリアが定義されている１〜複数のテンプレートファイルとを格納する第１のデータ格納部と、前記１〜複数のテンプレートファイルの中から選択した１つのテンプレートファイルと、当該テンプレートファイルの１〜複数の表示エリアに表示する前記素材データとを対応付けたプレゼンテーションファイルを作成するプレゼンテーション作成処理部と、このプレゼンテーション作成処理部によって作成された１〜複数のプレゼンテーションファイルに定義されているテンプレートファイルおよび素材データを前記第１のデータ格納部から読み出して、これら読み出したテンプレートファイルおよび素材データと、前記１〜複数のプレゼンテーションファイルとを含むプレゼンテーションパックを前記データ配信サーバに送信するパック配信処理部と、を備え、前記番組表示装置は、前記データ配信サーバからダウンロードした１〜複数のプレゼンテーションファイルと、これらプレゼンテーションファイルに定義されているテンプレートファイルおよび素材データを含む前記プレゼンテーションパックを格納する第２のデータ格納部と、予め定められた各番組の表示スケジュールに関する情報にしたがって、表示する番組に対応するプレゼンテーションファイルについての再生指示を出力するスケジュール管理処理部と、このスケジュール管理処理部によって出力された再生指示に対応するプレゼンテーションファイルと、このプレゼンテーションファイルに定義されているテンプレートファイルおよび素材データとを前記第２のデータ格納部から読み出して、読み出したプレゼンテーションファイルに定義されている前記１〜複数の表示エリアに表示する前記素材データとの対応付けにしたがって前記テンプレートファイルに定義されている１〜複数の表示エリアに前記素材データを再生する再生処理部と、この再生処理部によって各表示エリアに再生された素材データを表示する表示部と、を備えることを特徴とする。
【発明を実施するための最良の形態】
【００１３】
以下に添付図面を参照して、本発明にかかる情報表示方法、情報表示装置および情報配信表示システムの好適な実施の形態を詳細に説明する。
【００１４】
［概要および特徴］
図１〜図３を用いて、本発明における情報表示方法の概要および特徴を説明する。一般的に、ｅ−ラーニングの学習教材や、地域の案内板、ビルの館内案内などの情報提供番組（以下、番組とする）は、動画、静止画、文字情報によって構成されているものが多い。本発明は、１つの番組が、これら異なる属性の１〜複数のデータによって構成されていることに着目して、表示画面に１〜複数の表示エリア（ウィンドウ）を設けて、それぞれの表示エリアに動画や静止画、文字情報などを合成して表示するものである。
【００１５】
具体的には、たとえば、図１に示すように、表示画面に動画表示エリア２６２、静止画表示エリア２６３，２６４、およびテキストスクロールエリア２６５を設けることをテンプレートファイル２６１に定義する。この場合、テンプレートファイル２６１には、各素材データ（この場合、動画素材データ２５１、静止画素材データ２５２、テキストデータ２５３）を表示するための動画表示エリア２６２、静止画表示エリア２６３，２６４、およびテキストスクロールエリア２６５の表示位置を示す表示位置情報と、これら表示エリアの表示サイズと、当該表示エリアに表示される素材データの再生に使用する再生プレーヤー（表示エリアと再生プレーヤーの関連付け）などを定義する。そして、プレゼンテーションファイルにテンプレートファイル名を定義するとともに、動画表示エリア２６２に動画素材データ２５１を、静止画表示エリア２６３、２６４に静止画素材データ２５２を、テキストスクロールエリア２６５にテキストデータ２５３をそれぞれ表示することを定義する。番組表示の際には、このプレゼンテーションファイルに基づいて、テンプレートファイル２６１、動画素材データ２５１、静止画素材データ２５２、テキストデータ２５３を読み出して、動画表示エリア２６２に動画素材データ２５１が、静止画表示エリア２６３，２６４には静止画素材データ２５２が、テキストスクロールエリア２６５にはテキストデータ２５３が、それぞれの再生プレーヤーによって再生されて、番組２７０が表示される。すなわち、プレゼンテーションファイル、テンプレートファイル２６１、動画素材データ２５１、静止画素材データ２５２およびテキストデータ２５３をそれぞれ記憶しておき、１つの番組に対応するプレゼンテーションファイルによって管理されたテンプレートファイル２６１、動画素材データ２５１、静止画素材データ２５２、テキストデータ２５３を合成する。
【００１６】
このように本発明の情報表示方法では、複数の素材データをテンプレートファイルに定義されている１〜複数の表示エリアに表示し、これら複数の素材データとテンプレートファイルとをプレゼンテーションファイルによって管理して１つの番組を合成するようにしているので、プレゼンテーションファイルを変更するだけで、簡単に複数の番組を作成することができる。
【００１７】
また、複数の素材データとテンプレートファイルとを定義したプレゼンテーションファイルによって１つの番組を管理して複数の素材データを合成して番組を表示するようにしているため、素材データを新たに加工して番組を作成する必要がなく、番組作成にかかる時間を短縮することができる。
【００１８】
さらに、複数の素材データとテンプレートファイルとを定義したプレゼンテーションファイルによって１つの番組を管理して複数の素材データを合成して番組を表示するようにしているため、１つの番組が１つのデータで構成されていないので、番組を変更する際には変更するファイルだけの差し替えでよく、データの転送にかかる時間を短縮することができる。
【００１９】
また、テンプレートファイルによって複数の表示エリアと、これら表示エリアごとに個別に素材データを再生するための再生プレーヤーを定義するようにしているため、動画や静止画、テキストなど異なる属性の素材データを合成して１つの番組を表示することができる。
【００２０】
たとえば、紳士服の広告番組と楽器の広告番組とを作成する場合を例に挙げる。図２に示すように、紳士服の広告番組を作成するための素材データとして、スーツ静止画素材データ３１１、ロングコート静止画素材データ３１２、ファッションショー動画素材データ３１３およびアパレルメーカーブラインドスローガン素材データ３１４が準備され、楽器の広告番組を作成する素材データとして、ギター静止画素材データ３１５、ベース静止画素材データ３１６、コンサート動画素材データ３１７およびレコード会社ブラインドスローガン素材データ３１８が準備され、さらに動画表示エリア３２１、静止画表示エリア３２２，３２３、およびテキストスクロールエリア３２４が定義されているテンプレートファイル３２０が準備されているとする。
【００２１】
プレゼンテーションファイル３３０に、テンプレートファイル３２０を定義するとともに、動画表示エリア３２１にファッションショー動画素材データ３１３を、静止画表示エリア３２２にスーツ静止画素材データ３１１を、静止画表示エリア３２３にロングコート静止画素材データ３１２を、テキストスクロールエリア３２４にアパレルメーカーブラインドスローガン素材データ３１４を対応付けて定義する。
【００２２】
また、プレゼンテーションファイル３３１に、テンプレートファイル３２０を定義するとともに、動画表示エリア３２１にコンサート動画素材データ３１７を、静止画表示エリア３２２にギター静止画素材データ３１５を、静止画表示エリア３２３にベース静止画素材データ３１６を、テキストスクロールエリア３２４にレコード会社ブラインドスローガン素材データ３１８を対応付けて定義する。
【００２３】
プレゼンテーションファイル３３０によって番組を表示すると、テンプレートファイル３２０の動画表示エリア３２１にファッションショー動画素材データ３１３が、静止画表示エリア３２２にスーツ静止画素材データ３１１が、静止画表示エリア３２３にはロングコート静止画素材データ３１２が、テキストスクロールエリア３２４にはアパレルメーカーブラインドスローガン素材データ３１４が、それぞれの再生プレーヤーによって再生されて番組３４０が表示される。
【００２４】
プレゼンテーションファイル３３１によって番組を表示すると、テンプレートファイル３２０の動画表示エリア３２１にコンサート動画素材データ３１７が、静止画表示エリア３２２にギター静止画素材データ３１５が、静止画表示エリア３２３にはベース静止画素材データ３１６が、テキストスクロールエリア３２４にはレコード会社ブラインドスローガン素材データ３１８が、それぞれの再生プレーヤーによって再生されて番組３４１が表示される。
【００２５】
このように本発明の情報表示方法では、テンプレートファイル３２０を２つの番組で共用することができ、プレゼンテーションファイルに定義する素材データを変更するだけで、簡単に異なる番組を作成することができる。
【００２６】
また、図３に示すように、映画の広告番組を作成するための素材データとして、シネマプレビュー動画素材データ４３１、主演男優静止画素材データ４３２、助演女優静止画素材データ４３３、助演男優静止画素材データ４３４および上演スケジュールテキストデータ４３５が準備され、さらに動画表示エリア４１１、静止画表示エリア４１２〜４１４、およびテキストスクロールエリア４１５が定義されているテンプレートファイル４１０と、テンプレートファイル４１０とは異なる表示位置情報および該表示エリアの表示サイズを有する動画表示エリア４２１、静止画表示エリア４２２〜４２４、およびテキストスクロールエリア４２５が定義されているテンプレートファイル４２０とが準備されているとする。
【００２７】
プレゼンテーションファイル４４０に、テンプレートファイル４１０を定義するとともに、動画表示エリア４１１にシネマプレビュー動画素材データ４３１を、静止画表示エリア４１２に主演男優静止画素材データ４３２を、静止画表示エリア４１３に助演女優静止画素材データ４３３を、静止画表示エリア４１４に助演男優静止画素材データ４３４を、テキストスクロールエリア４１５に上演スケジュールテキストデータ４３５を対応付けて定義する。
【００２８】
また、プレゼンテーションファイル４４１に、テンプレートファイル４２０を定義するととともに、動画表示エリア４２１にシネマプレビュー動画素材データ４３１を、静止画表示エリア４２２に主演男優静止画素材データ４３２を、静止画表示エリア４２３に助演女優静止画素材データ４３３を、静止画表示エリア４２４に助演男優静止画素材データ４３４を、テキストスクロールエリア４２５に上演スケジュールテキストデータ４３５を対応付けて定義する。
【００２９】
プレゼンテーションファイル４４０によって番組を表示すると、テンプレートファイル４１０の動画表示エリア４１１にシネマプレビュー動画素材データ４３１が、静止画表示エリア４１２に主演男優静止画素材データ４３２が、静止画表示エリア４１３に助演女優静止画素材データ４３３が、静止画表示エリア４１４に助演男優静止画素材データ４３４が、テキストスクロールエリア４１５に上演スケジュールテキストデータ４３５が、それぞれの再生プレーヤーによって再生されて番組４５０が表示される。
【００３０】
プレゼンテーションファイル４４１によって番組を表示すると、テンプレートファイル４２０の動画表示エリア４２１にシネマプレビュー動画素材データ４３１が、静止画表示エリア４２２に主演男優静止画素材データ４３２が、静止画表示エリア４２３に助演女優静止画素材データ４３３が、静止画表示エリア４２４に助演男優静止画素材データ４３４が、テキストスクロールエリア４２５に上演スケジュールテキストデータ４３５が、それぞれの再生プレーヤーによって再生されて番組４５１が表示される。
【００３１】
たとえば、プレゼンテーションファイル４４０によって番組を表示しておき、広告番組の映画の上映時間が近づいたときに、プレゼンテーションファイル４４０による番組からプレゼンテーションファイル４４１による番組に切替えることで、同一情報の番組をレイアウトを変更して番組視聴者に提供することが可能となる。
【００３２】
このように本発明の情報表示方法では、プレゼンテーションファイルに定義するテンプレートファイルを変更するだけで、簡単に表示のレイアウトを変更することができる。
【実施例】
【００３３】
図４は、本発明の実施例の情報配信表示システムが扱うファイルの最も大きな単位となるプレゼンテーションパック２の構成を示している。図４に示すように、プレゼンテーションパック２は、パック情報ファイル２１と、メニューファイル２２と、自動プレゼンテーションスクリプト（以下、自動プレゼンスクリプトという）２３と、複数のプレゼンテーションファイル２４−１〜２４−ｎと、複数の素材データ２５−１〜２５−ｍと、複数のテンプレートファイル２６−１〜２６−ｋとで構成される。パック情報ファイル２１、メニューファイル２２、自動プレゼンスクリプト２３、プレゼンテーションファイル２４−１〜２４−ｎおよびテンプレートファイル２６−１〜２６−ｋは、通常、複数の素材データ（コンテンツ）から成る番組を表示するために必要な情報が定義される制御情報ファイルであり、素材データ（コンテンツ）２５−１〜２５−ｍは、上記制御情報ファイルの動作によって表示される実際の表示データである。
【００３４】
素材データ２５−１〜２５−ｎは、テンプレートファイル２６−１〜２６−ｋ内で使用するコンテンツデータである。素材データ２５−１〜２５−ｎとしては、ＭＰＥＧ（Moving Picture Experts Group）形式やアニメーションＧＩＦ（Graphic Interchange Format）形式などの動画像のファイル、ＪＰＥＧ（Joint Photographic Coding Experts Group）形式、ＰＮＧ（Portable Network Graphics）形式、ＧＩＦ（Graphic Interchange Format）形式、ＴＩＦＦ（Tagged Image File Format）形式などの静止画像ファイル、ＭＩＤＩ（Musical Instruments Digital Interface）形式やＭＰ３（MPEG Audio Layer-3）形式、ＷＭＡ（Windows(R) Media Audio）形式などの音声ファイル、Ｆｌａｓｈ形式などの音声および動画像の情報を含む音声動画像ファイル、テキストファイルなどがある。
【００３５】
テンプレートファイル２６−１〜２６−ｋには、各素材データを表示するための１〜複数の表示エリア（ウィンドウ）の表示位置を示す表示位置情報と、該表示エリアの表示サイズと、当該表示エリアに表示される素材データの再生に使用する再生プレーヤー（表示エリアと再生プレーヤーの関連付け）などが定義される。
【００３６】
たとえば、図５に示すように、表示画面２４１に、ＭＰＥＧ形式のファイルを表示する動画表示エリア２４２と、ＪＰＥＧ形式のファイルを表示する静止画表示エリア２４３と、ＰＮＧ形式のファイルを表示する静止画表示エリア２４４と、テキストファイルを表示するテキストスクロールエリア２４５との４つのエリアを含む１つの番組を表示するとする。
【００３７】
この場合、テンプレートファイルには、
・動画表示エリア２４２に関しては、
動画表示エリア２４２を示す表示エリア名の表示位置情報、その表示サイズ、および動画表示エリア２４２を示す表示エリア名と再生プレーヤー（この場合、或る一つの動画プレーヤー）との関連付け情報が定義され、
・静止画表示エリア２４３に関しては、
静止画表示エリア２４３を示す表示エリア名の表示位置情報、その表示サイズ、および静止画表示エリア２４３を示す表示エリア名と再生プレーヤー（この場合、或る一つの静止ビューワー）との関連付け情報が定義され、
・静止画表示エリア２４４に関しては、
静止画表示エリア２４４を示す表示エリア名の表示位置情報、その表示サイズ、および静止画表示エリア２４４を示す表示エリア名と再生プレーヤー（この場合、或る一つの静止ビューワー）との関連付け情報が定義され、
・テキストスクロールエリア２４５に関しては、
テキストスクロールエリア２４５を示す表示エリア名の表示位置情報、その表示サイズ、およびテキストスクロールエリア２４５を示す表示エリア名と再生プレーヤー（この場合、或る一つのテキストスクロールエンジン）との関連付け情報が定義される。
【００３８】
このように、テンプレートファイルには、各表示エリアの表示位置、表示サイズおよび各表示エリアと再生プレーヤーとの関連付け情報などが定義されており、テンプレートファイルの定義によって、表示画面２４１のレイアウトを簡単に変更することができる。換言すれば、異なる定義のテンプレートファイルを複数準備しておき、使用するテンプレートファイルによって表示レイアウトを変更したり、同じテンプレートファイルを用いて各表示エリアに表示する素材データを変更するだけで異なる番組を作成することが可能となる。
【００３９】
各プレゼンテーションファイル２４−１〜２４−ｎには、１つのテンプレートファイル２６−１〜２６−ｋのファイル名と、当該１つのテンプレートファイルに定義されている前述の１〜複数の表示エリア（表示エリア名）と１〜複数の素材データ２５−１〜２５−ｍ（ファイル名）との対応付け情報が定義されている。例えば、先の図５において、動画表示エリア２４２に素材データ２５−１を表示させ、静止画表示エリア２４３に素材データ２５−２を表示させ、静止画表示エリア２４４に素材データ２５−３を表示させ、テキストスクロールエリア２４５に素材データ２５−４を表示させる場合には、そのような対応付けを規定した対応付け情報が或る１つのプレゼンテーションファイル２４−１に定義されることになる。このように、１つのプレゼンテーションファイルが１つの番組に対応しており、各プレゼンテーションファイル２４−１〜２４−ｎは素材データ２５−１〜２５−ｍおよびテンプレートファイル２６−１〜２６−ｋのファイル管理に使用される。
【００４０】
メニューファイル２２には、情報視聴者が複数の番組（複数のプレゼンテーションファイル２４−１〜２４−ｎに対応）から１つの番組を選択するための番組選択ボタンを含むメニュー画面を定義する情報と、番組選択ボタン（番組選択ボタン名）とプレゼンテーションファイルのファイル名との対応付け情報が定義される。
【００４１】
自動プレゼンスクリプト２３には、各番組の表示開始時刻および表示終了時刻などを規定する情報、すなわち各番組の表示スケジュールに関する情報が定義される。すなわち、１つの表示開始時刻および表示終了時刻に対応付けて、１つのプレゼンテーションファイル名が定義される。
【００４２】
パック情報ファイル２１には、メニューファイル２２および自動プレゼンスクリプト２３のそれぞれのファイル名が定義されており、パック情報ファイル２１はこれらファイル２２，２３のファイル管理に使用される。プレゼンテーションファイル２４−１〜２４−ｎは、メニューファイル２２、自動プレゼンスクリプト２３により管理される。
【００４３】
図６は、本発明の実施例にかかる情報配信表示システムの構成を示すシステム構成図である。図６に示すように、本発明の実施例にかかる情報配信表示システムは、素材データ作成装置９と、テンプレート作成装置８と、情報作成装置７と、データ配信サーバ３と、監視装置５と、情報表示装置１とが、インターネットなどのネットワーク６を介して相互に通信可能に接続して構成される。
【００４４】
素材データ作成装置９は、クリエーターが素材データ２５−１〜２５−ｍを作成するためのパーソナルコンピュータ等の装置であり、動画像ファイル、静止画像ファイル、テキストファイルおよび音声動画像ファイルなどの素材データを作成する素材データ作成機能を備えている。
【００４５】
テンプレート作成装置８は、クリエーターがテンプレートファイル２６−１〜２６−ｋを作成するためのパーソナルコンピュータ等の装置であり、テンプレートファイルを作成するテンプレート作成機能を備えている。
【００４６】
情報作成装置７は、プロデューサーが番組を作成するためのパーソナルコンピュータ等の装置であり、素材データ作成装置９によって作成された各種素材データ、およびテンプレート作成装置８によって作成されたテンプレートファイルを用いて、図４に示したプレゼンテーションパック２に含まれるすべてのファイルを作成する。そして、作成したプレゼンテーションパックをネットワーク６を介してデータ配信サーバ３に送信する。
【００４７】
情報作成装置７は、プレゼンテーション作成機能と、スケジュール・メニュー作成機能と、パック作成機能と、データアップロード機能とを備えている。
【００４８】
プレゼンテーション作成機能は、素材データ作成装置９によって作成された各種素材データ２５−１〜２５−ｍ、およびテンプレート作成装置８によって作成されたテンプレートファイル２６−１〜２６−ｋを用いて、プロデューサーが複数の番組に対応する複数のプレゼンテーションファイル２４−１〜２４−ｎを作成するための機能である。具体的には、前述したように、プロデューサーが、１つのプレゼンテーションファイル毎に、１つのテンプレートファイルのファイル名を定義するとともに、該１つのテンプレートファイルに定義されている前述の１〜複数の表示エリア（表示エリア名）と１〜複数の素材データ２５−１〜２５−ｍ（ファイル名）との対応付けを定義する。また、プレゼンテーション作成機能は、プロデューサーが作成したプレゼンテーションファイルを確認するために、プレゼンテーションファイルに定義されたテンプレートファイルを用いて素材データを再生して、番組を表示する機能を備えている。
【００４９】
スケジュール・メニュー作成機能は、プロデューサーによって指定された各プレゼンテーションファイル間の表示順序の優先順位を示す表示優先度情報に基づいて、前記プレゼンテーション作成機能によって作成された各プレゼンテーションファイルの表示スケジュールを決定して前述の自動プレゼンスクリプト２３およびメニューファイル２２を作成する機能である。
【００５０】
パック作成機能は、メニューファイル２２、自動プレゼンスクリプト２３、またはプレゼンテーションファイル２４−１〜２４−ｎが作成、変更されたとき、所要のメニューファイル２２、自動プレゼンスクリプト２３、またはプレゼンテーションファイル２４−１〜２４−ｎを選択してパック情報ファイル２１を作成したり、あるいはパック情報ファイル２１に含まれるファイルを変更したりするための機能である。
【００５１】
データアップロード機能は、パック作成機能によって作成されたプレゼンテーションパック２をネットワーク６を介してデータ配信サーバ３に送信する機能である。この場合、データアップロード機能では、プレゼンテーションパック２に含まれる複数のファイルから、１つのパッケージに１〜複数のファイルが含まれるように複数のパッケージを作成して、作成した複数のパッケージをパッケージ単位で暗号化した後に、パッケージ識別情報を付加して、データ配信サーバ３に送信する。パッケージ識別情報には、自パッケージが属するプレゼンテーションパック名、自パッケージに含まれるファイルの内容を示す情報（新規の素材データ２５−１〜２５−６から成るとか、素材データ２５−１〜２５−８の変更更新データであるとか、新規のプレゼンテーションファイル２４−１〜２４−１０とメニューファイル２２とから成るとか）などが含まれている。この場合、パッケージとは、同じ鍵で暗号化して送信されるファイル群に対応する。なお、データアップロード機能は、パッケージを作成する際に、対象となるプレゼンテーションパック２が新規のものであるのか更新されたものであるのかを判断して、更新されたプレゼンテーションパックの場合には、更新されたファイルのみを含むパッケージを作成して送信する。このパッケージ化は、１回のデータ通信のデータ量を削減するためであり、データ量が少ない場合は、プレゼンテーションパック２自体を暗号化して送信するようにしてもよい。
【００５２】
データ配信サーバ３は、監視装置５の監視指示および制御指示に基づいて、情報表示装置１の監視および制御を行う。データ配信サーバ３は、プレゼンテーションパック管理機能と、端末管理機能と、ログ集計機能とを備えている。
【００５３】
プレゼンテーションパック管理機能は、情報作成装置７から受信したパッケージを格納するとともに、受信したパッケージが新たなプレゼンテーションパック２を構成する１つのパッケージであるのか、既に格納しているプレゼンテーションパック２内の更新されたファイルのみを含むパッケージであるのかをパッケージ識別情報から判別する。更新されたファイルのみのパッケージの場合には、プレゼンテーションパック管理機能は、格納しているパッケージおよび情報作成装置７から受信したパッケージを復号化し、そして、格納しているプレゼンテーションパック内の更新部分（情報作成装置７から受信したパッケージのファイル）だけを変更した後に、パック化、暗号化して格納する。また、新たなプレゼンテーションパック２を構成する１つのパッケージである場合は、新たなプレゼンテーションパック２を構成する全てのパッケージが受信された後、これら全てのパッケージをプレゼンテーションパック化した後、格納する。
【００５４】
端末管理機能は、情報表示装置１からポーリングによるアクセスがあった場合、監視装置５からの監視指示に基づいて情報表示装置１のＣＰＵの負荷情報や情報表示装置１の表示部の温度などの情報表示装置１内の各種状態を示す情報（以下、監視情報という）の送信要求を情報表示装置１に送信する。また、端末管理機能は、情報表示装置１からポーリングによるアクセスがあった場合、監視装置５からの制御指示に基づいて、プレゼンテーションパックまたはパッケージのダウンロード要求を情報表示装置１に送信すること、情報表示装置１で既に記憶されている複数のプレゼンテーションパック内でのプレゼンテーションパックの切替え指示を情報表示装置１に送信すること、ポーリング間隔の変更設定指示を情報表示装置１へ送信することなどを行う。
【００５５】
ログ集計機能は、情報表示装置１から送信される監視情報を集計、記憶する機能である。ログ集計機能によって記憶された各種データは、監視装置５から閲覧可能となっている。
【００５６】
情報表示装置１は、情報作成装置７によって作成された番組を表示する装置であり、スケジュール管理機能、再生表示機能を備え、データ配信サーバ３からダウンロードしたパッケージまたはプレゼンテーションパックを復号化した１〜複数のプレゼンテーションパックを格納している。
【００５７】
スケジュール管理機能は、プレゼンテーションパック２内の自動プレゼンスクリプト２３に基づいて番組の表示スケジュールを管理するためのものであり、再生表示機能に対し、番組の再生を開始する再生指示および番組の再生を停止する停止指示を出力する。再生指示は、自動プレゼンスクリプト２３に定義されている番組開始時間になったとき、または情報視聴者によってメニュー画面の或る番組選択ボタンが投入されて番組が選択されたときに出力される。再生指示には、再生する番組に対応するプレゼンテーションファイルのファイル名が含まれている。停止指示は、番組を表示中、自動プレゼンスクリプト２３によって指定されている表示終了時刻になったとき、または情報視聴者によって再生中の番組と異なる番組がメニュー画面などによって選択された場合などに出力される。
【００５８】
また、スケジュール管理機能は、データ配信サーバ３を介して監視装置５から送信された制御指示に基づいて既に記憶されている複数のプレゼンテーションパック内でプレゼンテーションパックを切替るなどの機能も備えている。
【００５９】
再生表示機能は、再生指示に含まれるプレゼンテーションファイルに基づいて番組を表示する機能である。再生表示機能は、プレゼンテーションファイルに定義されているテンプレートファイルの１〜複数の表示エリア対応付けられた１〜複数の素材データを、それぞれの表示エリアの再生プレーヤーを用いて再生して番組を表示する。たとえば、図１に示すように、動画表示エリア２６２、静止画表示エリア２６３，２６４、およびテキストスクロールエリア２６５が定義されているテンプレートファイル２６１と、動画表示エリア２６２に対応付けられた動画素材データ２５１と、静止画表示エリア２６３，２６４に対応付けられた静止画素材データ２５２と、テキストスクロールエリア２６５に対応付けられているテキストデータ２５３とによって番組を表示すると仮定すると、テンプレートファイル２６１の動画表示エリア２６２に動画素材データ２５１が、静止画表示エリア２６３，２６４には静止画素材データ２５２が、テキストスクロールエリア２６５にはテキストデータ２５３が、それぞれの再生プレーヤーによって再生されて番組２７０が表示される。なお、プレゼンテーションファイルにテンプレートファイルが定義されていない場合、再生表示機能は、予め格納しているデフォルトのテンプレートファイルを用いて番組を表示する。
【００６０】
監視装置５は、システム管理者が情報表示装置１の監視および制御を行うためのパーソナルコンピュータ等の装置であり、監視機能および制御機能を備えている。監視機能は、情報表示装置１から監視情報を取得するための監視指示をデータ配信サーバ３に送信する機能である。制御機能は、プレゼンテーションパックまたはパッケージのダウンロード要求、プレゼンテーションパックの切替え指示、ポーリング間隔の変更設定指示などの情報表示装置１を制御するための制御指示をデータ配信サーバ３に送信する機能である。
【００６１】
なお、図６に示した情報配信表示システムでは、テンプレート作成装置８、素材データ作成装置９、および情報表示装置１は１台であるが、これらの装置は、それぞれ複数台備えてもよい。
【００６２】
つぎに、本発明の実施例にかかる情報配信表示システムの動作を説明する。まず、情報表示装置１に番組を表示する動作を説明する。テンプレート作成装置８はクリエーターによって作成されたテンプレートファイル２６−１〜２６−ｋを、素材データ作成装置９はクリエーターによって作成された素材データ２５−１〜２５−ｍを、それぞれ情報作成装置７に送信する。
【００６３】
情報作成装置７は、素材データ作成装置９によって作成された各種素材データ２５−１〜２５−ｍ、およびテンプレート作成装置８によって作成されたテンプレートファイル２６−１〜２６−ｋを用いて、図４に示したプレゼンテーションパック２に含まれるファイルを作成する。そして、ネットワーク６を介してパック作成機能によって作成されたプレゼンテーションパック２またはパッケージを暗号化してデータ配信サーバ３に送信する。
【００６４】
データ配信サーバ３は、受信したプレゼンテーションパック２またはパッケージを復号化した後、暗号化して格納する。その後、データ配信サーバ３は、監視装置５からの制御指示に基づいて、格納しているプレゼンテーションパック２またはパッケージを情報表示装置１にダウンロードさせる。
【００６５】
情報表示装置１では、データ配信サーバ３からダウンロードしたプレゼンテーションパック２またはパッケージを復号化し、その後プレゼンテーションパック２内の自動プレゼンスクリプト２３、またはメニューファイル２２に基づいて表示すべき番組のプレゼンテーションファイルに定義されているテンプレートファイルを用いて各素材データを再生して番組を表示する。
【００６６】
つぎに、監視装置５から情報表示装置１を監視する動作を説明する。情報表示装置１は、所定の時間間隔でポーリングによりデータ配信サーバ３にアクセスしている。データ配信サーバ３は、情報表示装置１からのアクセスがあると、監視装置５からの監視指示がある場合は、監視情報送信要求を情報表示装置１に送信する。情報表示装置１は、監視情報送信要求に基づいて要求された監視情報をデータ配信サーバ３に送信する。データ配信サーバ３は、受信した監視情報を記憶した後、監視装置５からの監視指示をリセット（監視指示がないものと）する。このようにして、監視装置５は、任意のタイミングでデータ配信サーバ３にアクセスして、データ配信サーバ３に記憶されている監視情報を閲覧して、情報表示装置１の状態を監視する。
【００６７】
つぎに、監視装置５から情報表示装置１を制御する動作を説明する。情報表示装置１は、所定のタイミングでポーリングによりデータ配信サーバ３にアクセスしている。データ配信サーバ３は、情報表示装置１からのアクセスがあると、監視装置５からの制御指示がある場合は、その制御指示を情報表示装置１に送信する。情報表示装置１は、受信した制御指示に基づいた制御を行う。
【００６８】
制御指示がプレゼンテーションパック２またはパッケージのダウンロードの指示である場合には、情報表示装置１は、データ配信サーバ３に制御指示によって指定されたプレゼンテーションパックまたはパッケージを要求して、指定されプレゼンテーションパックまたはパッケージをダウンロードする。制御指示がプレゼンテーションパックの切替えの指示である場合には、情報表示装置１は、スケジュール管理機能によってプレゼンテーションパックを、現在使用しているプレゼンテーションパックから指示されたプレゼンテーションパックに切り替える。また、制御指示がポーリング間隔を設定する指示である場合には、情報表示装置１は、つぎにポーリングから指定された間隔でデータ配信サーバ３にアクセスするように、ポーリング間隔を設定する。
【００６９】
なお、データ配信サーバ３と情報表示装置１とのポーリングによる通信プロトコルに、ＨＴＴＰのＧＥＴメソッドを用いた場合には、メタファイルによって通信を行うようにする。すなわち、情報表示装置１からデータ配信サーバ３へは、所定のポーリング間隔でＨＴＴＰプロトコルのＧＥＴメソッドを用いる。このとき、端末ＩＤ（情報表示装置１毎のＩＤ）を付加しておく。データ配信サーバ３からは端末制御メタファイルが送られる。端末制御メタファイルにはプレゼンテーションパックの切替え等の制御を行わせる指示ファイルが含まれる。データ配信サーバ３から端末制御メタファイルにより監視指示があった場合は、監視項目を端末情報メタファイルとしてデータ配信サーバ３に送る。データ配信サーバ３から端末制御メタファイルにより端末リモート制御メタファイルを受信するよう指示があった場合は、情報表示装置１からデータ配信サーバ３へ、ＨＴＴＰのＧＥＴメソッドで端末リモート制御メタファイルを受信するためのアクセスをし、データ配信サーバ３から端末リモート制御メタファイルを受信する。そして、これに基づいて情報表示装置１の制御を行う。なお、ポーリング間隔は、データ配信サーバ３からの端末リモート制御メタファイルによって変更可能である。
【００７０】
図７は、図６に示した情報作成装置７の構成を示すブロック図である。情報作成装置７は、インターフェース部７１、入力部７２、表示部７３、データアップロード処理部７４１とパック作成処理部７４２とを有するパック配信処理部７４、スケジュール・メニュー作成処理部７５１とプレゼンテーション作成処理部７５２とを有するファイル作成処理部７５、およびデータ格納部７６を備えている。
【００７１】
インターフェース部７１は、ネットワーク６を介して素材データ作成装置９、テンプレート作成装置８およびデータ配信サーバ３と相互通信を行なうためのインターフェース機能を備えている。
【００７２】
入力部７２は、キーボードやマウスなどの一般的な入力機器で構成され、プロデューサーがプレゼンテーションパック２の各種ファイル（図２参照）を作成するための入力手段として使用される。
【００７３】
表示部７３は、ＣＲＴ（Cathode-Ray Tube）や液晶ディスプレーなどの一般的な表示機器で構成され、データ格納部７６に格納されているプレゼンテーションパック２の各種ファイル２１〜２３，２４−１〜２４−ｎ，２５−１〜２５−ｍ，２６−１〜２６−ｋや、プレゼンテーションファイル２４−１〜２４−ｎで定義された番組を表示する表示手段として使用される。
【００７４】
データ格納部７６は、素材データ作成装置９によって作成された各種素材データ２５−１〜２５−ｍ、テンプレート作成装置８によって作成されたテンプレートファイル２６−１〜２６−ｋ、情報作成装置７によって作成されるプレゼンテーションファイル２４−１〜２４−ｎ、パック情報ファイル２１、メニューファイル２２、および自動プレゼンスクリプト２３、すなわちプレゼンテーションパック２を構成する各種ファイルを格納する。また、データアップロード処理部７４１によって送信されたプレゼンテーションパック２の送信履歴を格納する。送信履歴とは、送信したプレゼンテーションパック２の名前、プレゼンテーションパック２内の各種ファイル２１，２２，２３，２４−１〜２４−ｎ，２５−１〜２５−ｍ，２６−１〜２６−Ｋのファイル名およびファイルの作成日時である。
【００７５】
プレゼンテーション作成処理部７５２は、前述したプレゼンテーション作成機能を実現する処理部であり、素材データ作成装置９によって作成された各種素材データ２５−１〜２５−ｍ、およびテンプレート作成装置８によって作成されたテンプレートファイル２６−１〜２６−ｋを用いて、複数の番組に対応する複数のプレゼンテーションファイル２４−１〜２４−ｎを作成する。
【００７６】
スケジュール・メニュー作成処理部７５１は、前述したスケジュール・メニュー作成機能を実現する処理部であり、プロデューサーによって指定された各プレゼンテーションファイル間の表示順序の優先順位を示す表示優先度情報に基づいて、プレゼンテーション作成処理部７５２によって作成された各プレゼンテーションファイルの表示スケジュールを決定して前述の自動プレゼンスクリプト２３およびメニューファイル２２を作成する。
【００７７】
パック作成処理部７４２は、前述したパック作成機能を実現する処理部であり、メニューファイル２２、自動プレゼンスクリプト２３、またはプレゼンテーションファイル２４−１〜２４−ｎが作成、変更されたとき、所要のメニューファイル２２、自動プレゼンスクリプト２３、またはプレゼンテーションファイル２４−１〜２４−ｎを選択してパック情報ファイル２１を作成したり、あるいはパック情報ファイル２１に含まれるファイルを変更したりする。
【００７８】
データアップロード処理部７４１は、前述したデータアップロード機能を実現する処理部であり、パック作成処理部７４２によって作成されたプレゼンテーションパック２をネットワーク６を介してデータ配信サーバ３に送信する。
【００７９】
図８は、図６に示した情報表示装置１の構成を示すブロック図である。情報表示装置１は、インターフェース部１１と、表示部１２と、データ格納部１３と、表示処理部１４とを備えている。
【００８０】
インターフェース部１１は、ネットワーク６を介してデータ配信サーバ３と相互通信を行なうためのインターフェース機能を備えている。データ格納部１３は、データ配信サーバ３を介して監視装置５から送信された制御指示に基づいて情報作成装置７によって作成された１〜複数のプレゼンテーションパック２を格納する。
【００８１】
スケジュール管理処理部１４１は、前述したスケジュール管理機能を実現する処理部であり、プレゼンテーションパック２内の自動プレゼンスクリプト２３に基づいて番組の表示スケジュールを管理する。また、スケジュール管理処理部１４１は、メニューファイル２２によって表示部１２、または図示しないメニュー画面表示部に表示された複数の番組選択ボタンの何れか一つが情報視聴者によって選択されたことを検出した場合には、検出した番組選択ボタンに対応したプレゼンテーションファイルを再生するように表示スケジュールを変更する。
【００８２】
再生処理部１４２は、プレゼンテーションファイルに定義されているテンプレートファイルの１〜複数の表示エリア対応付けられた１〜複数の素材データを、それぞれの表示エリアの再生プレーヤーを用いて再生して、ＣＲＴや液晶ディスプレー、プラズマディスプレーなどで構成される表示部１２に番組を表示する。
【００８３】
図９および図１０のフローチャートを参照して、情報作成装置７が番組を作成し、情報表示装置１が情報作成装置７によって作成された番組を表示する動作を説明する。まず、図９のフローチャートを参照して、情報作成装置７が番組を作成する動作を説明する。なお、ここでは、素材データ作成装置９によって作成された素材データ２５−１〜２５−ｍ、およびテンプレート作成装置８によって作成されたテンプレートファイル２６−１〜２６−ｋは、予めデータ格納部７６に格納されているものとする。
【００８４】
プロデューサーは、データ格納部７６に格納されている素材データ２５−１〜２５−ｍと、テンプレートファイル２６−１〜２６−ｋの中から番組に用いるテンプレートファイルと、テンプレートファイルの表示エリアの数に対応する素材データを選択して、入力部７２を用いて、選択したテンプレートファイルのファイル名と、選択したテンプレートファイルの１〜複数の表示エリア名と素材データのファイル名との対応付けを入力する（ステップＳ１００，Ｓ１１０）。たとえば、先の図１に示した番組２７０を作成したい場合には、テンプレートファイル２６１のファイル名と、動画表示エリア２６２に動画素材データ２５１を、静止画表示エリア２６３，２６４に静止画素材データ２５２を、テキストスクロールエリア２６５にテキストデータ２５３を対応させることを入力する。
【００８５】
プレゼンテーション作成処理部７５２は、入力部７２から入力されたテンプレートファイルのファイル名と、テンプレートファイルの１〜複数の表示エリア名と素材データのファイル名との対応付けから所定のフォーマットのプレゼンテーションファイルを作成する（ステップＳ１２０）。なお、プロデューサーが、プレゼンテーションファイルを直接、編集するようにしてもよい。
【００８６】
入力部７２からテンプレートファイルのファイル名と、テンプレートファイルの１〜複数の表示エリア名と素材データのファイル名との対応付けが入力されるたびに、プレゼンテーション作成処理部７５２は、入力されたテンプレートファイルのファイル名と、テンプレートファイルの１〜複数の表示エリア名と素材データのファイル名との対応付けに基づいてプレゼンテーションファイルを作成する動作を繰り返して（ステップＳ１００〜Ｓ１３０）、１〜複数のプレゼンテーションファイル２４−１〜２４−ｎを作成する。
【００８７】
プロデューサーは、番組となる１〜複数のプレゼンテーションファイル２４−１〜２４−ｎを作成した後、入力部７２を用いて、作成したプレゼンテーションファイル２４−１〜２４−ｎ間の表示順序の優先順位を示す表示優先度情報を入力する（ステップＳ１４０）。
【００８８】
スケジュール・メニュー作成処理部７５１は、入力された表示優先度情報に基づいてプレゼンテーション作成処理部７５２によって作成された各プレゼンテーションファイルの表示スケジュールを決定して、１つの表示開始時刻および表示終了時刻に対応付けて、１つのプレゼンテーションファイル名を定義した自動プレゼンスクリプト２３を作成する。また、スケジュール・メニュー作成処理部７５１は、情報視聴者が複数の番組（複数のプレゼンテーションファイル２４−１〜２４−ｎに対応）から１つの番組を選択するための番組選択ボタンを含むメニュー画面を定義する情報と、番組選択ボタン（番組選択ボタン名）とプレゼンテーションファイルのファイル名との対応付け情報とを定義したメニューファイル２２を作成する（ステップＳ１５０）。
【００８９】
一方、パック作成処理部７４２は、メニューファイル２２、自動プレゼンスクリプト２３、またはプレゼンテーションファイル２４−１〜２４−ｎが作成、変更されたとき、所要のメニューファイル２２、自動プレゼンスクリプト２３、またはプレゼンテーションファイル２４−１〜２４−ｎを選択してパック情報ファイル２１を作成したり、あるいはパック情報ファイル２１に含まれるファイルを変更したりして、最新のプレゼンテーションパック２を作成する。
【００９０】
入力部７２から作成したプレゼンテーションパック２をデータ配信サーバ３にアップロードする指示が入力されると、データアップロード処理部７４１は、パック作成処理部７４２によって作成されたプレゼンテーションパック２を、データ配信サーバ３に送信する（ステップＳ１６０）。具体的には、データアップロード処理部７４１は、データ格納部７６から送信履歴を読み出して、送信するプレゼンテーションパック名を検索キーとして送信履歴のプレゼンテーションパック名を検索する。送信履歴のプレゼンテーションパック名の中に送信するプレゼンテーションパック名が存在しない場合には、新規のプレゼンテーションパックであるので、プレゼンテーションパック２に含まれる複数のファイルから、１つのパッケージに１〜複数のファイルが含まれるように複数のパッケージを作成して、作成した複数のパッケージをパッケージ単位で暗号化した後に、パッケージ識別情報を付加して、データ配信サーバ３に送信する。送信履歴のプレゼンテーションパック名の中に送信するプレゼンテーションパック名が存在する場合には、プレゼンテーションパック２内の各ファイル名および作成日時と、送信履歴の各ファイル名および作成日時とを比較して、不一致のファイルを検索する。そして、不一致のファイル、すなわち変更されたファイルだけを含む１〜複数のパッケージを作成して、作成した１〜複数のパッケージをパッケージ単位で暗号化した後に、パッケージ識別情報を付加して、データ配信サーバ３に送信する。データアップロード処理部７４１は、作成した１〜複数のパッケージを送信した後に、送信したプレゼンテーションパック名、または変更されたファイルのファイル名とその作成日時とを送信履歴に追加、または変更して送信履歴を更新する。
【００９１】
データ配信サーバ３は、前述したプレゼンテーションパック管理機能によって、情報作成装置７から受信したパッケージが新たなプレゼンテーションパック２を構成する１つのパッケージであるのか、既に格納しているプレゼンテーションパック２内の更新されたファイルのみを含むパッケージであるのかをパッケージ識別情報から判別する。更新されたファイルのみのパッケージの場合には、プレゼンテーションパック管理機能は、格納しているパッケージおよび情報作成装置７から受信したパッケージを復号化し、そして、格納しているプレゼンテーションパック内の更新部分（情報作成装置７から受信したパッケージのファイル）だけを変更した後に、パック化、暗号化して格納する。また、新たなプレゼンテーションパック２を構成する１つのパッケージである場合は、新たなプレゼンテーションパック２を構成する全てのパッケージが受信された後、これら全てのパッケージをプレゼンテーションパック化した後、格納する。
【００９２】
つぎに、図１０のフローチャートを参照して、情報表示装置１が情報作成装置７によって作成された番組を表示する動作を説明する。なお、データ格納部１３には、監視装置５の制御指示によってデータ配信サーバ３からダウンロードしたパッケージまたはプレゼンテーションパックを復号化したプレゼンテーションパック２を格納しているものとする。
【００９３】
スケジュール管理処理部１４１は、計時機能を備えており、データ格納部１３に格納されている自動プレゼンスクリプト２３に定義されている番組開始時刻なった場合には、番組開始時刻に対応して定義されているプレゼンテーションファイル名を含む再生指示を再生処理部１４２に出力する（ステップＳ２００，Ｓ２２０）。また、スケジュール管理処理部１４１は、番組選択ボタンが投入されたことを検出すると、メニューファイル２２に定義されている検出した番組選択ボタンに対応したプレゼンテーションファイル名を含む再生指示を再生処理部１４２に出力する（ステップＳ２００，Ｓ２１０）。
【００９４】
再生処理部１４２は、データ格納部１３から再生指示に含まれるプレゼンテーションファイルを読み出す（ステップＳ２３０）。再生処理部１４２は、データ格納部１３から読み出したプレゼンテーションファイルに定義されているテンプレートファイルと素材ファイルとをデータ格納部１３から読み出す（ステップＳ２４０）。再生処理部１４２は、読み出したプレゼンテーションファイルに定義されているテンプレートファイルの１〜複数の表示エリア対応付けられた１〜複数の素材データを、それぞれの表示エリアの再生プレーヤーを用いて再生して、表示部１２に番組を表示する（ステップＳ２５０）。具体的には、前述したように、テンプレートファイルには、各素材データを表示するための１〜複数の表示エリア（ウィンドウ）の表示位置を示す表示位置情報と、該表示エリアの表示サイズと、当該表示エリアに表示される素材データの再生に使用する再生プレーヤー（表示エリアと再生プレーヤーの関連付け）などが、プレゼンテーションファイルには、テンプレートファイルに定義されている１〜複数の表示エリア（表示エリア名）と１〜複数の素材データ２５−１〜２５−ｍ（ファイル名）との対応付け情報が定義されている。再生処理部１４２は、テンプレートファイルに定義されている表示エリア（ウィンドウ）の表示位置を示す表示位置情報と、該表示エリアの表示サイズとに基づいて、表示部１２内に表示エリアを決定する。そして、プレゼンテーションファイルに定義されている表示エリアに対応する素材データを、テンプレートファイルに定義されている表示エリアの再生プレーヤーを使用して再生することで、複数の素材データを合成して１つの番組として表示部１２に表示する。
【００９５】
このようにこの実施例の情報配信表示システムは、素材データ作成装置９によって作成された素材データ２５−１〜２５−ｍと、テンプレート作成装置８によって作成されたテンプレートファイル２６−１〜２６−ｋとを用いて、情報作成装置７が、使用するテンプレートファイルと素材データとを対応付けるプレゼンテーションファイルを作成して、データ配信サーバ３を介して情報表示装置１にダウンロードする。情報表示装置１は、プレゼンテーションファイルに定義されているテンプレートファイルとこのテンプレートファイルの表示エリアに対応付けられた複数の素材データとを用いて、テンプレートファイルに定義されている１〜複数の表示エリアの再生プレーヤーによって各表示エリアに対応付けられた各素材データを再生して１つの番組を表示する。すなわち、情報作成装置７は、番組を表示するためのプレゼンテーションファイルと、テンプレートファイルと、１〜複数の素材データとをデータ配信サーバ３を介して情報表示装置１に配信して、情報表示装置１が、プレゼンテーションファイルおよびテンプレートファイルに基づいて、１〜複数の素材データを合成するようにしている。これにより、番組の変更の際にも、1つの番組のデータを配信するのではなく、１つの番組を構成するためのプレゼンテーションファイル、テンプレートファイル、または素材データを配信するだけで、番組を変更することができ、配信データを軽減することができる。
【００９６】
また、情報表示装置１の再生処理部１４２は、各素材データを表示するための１〜複数の表示エリア（ウィンドウ）の表示位置を示す表示位置情報と、該表示エリアの表示サイズと、当該表示エリアに表示される素材データの再生に使用する再生プレーヤーが定義されているテンプレートファイルと、テンプレートファイルに定義されている１〜複数の表示エリアと１〜複数の素材データとの対応付け情報が定義されているプレゼンテーションファイルとを解析するだけで、各素材データを合成して番組を再生するようにしているため、番組再生時の処理付加を軽減することができる。
【００９７】
なお、この実施例では、テンプレートファイルには、各素材データを表示するための１〜複数の表示エリア（ウィンドウ）の表示位置を示す表示位置情報と、該表示エリアの表示サイズと、当該表示エリアに表示される素材データの再生に使用する再生プレーヤー（表示エリアと再生プレーヤーの関連付け）などを定義するようにしたが、テンプレートファイルに、表示エリア以外のエリア（背景）に使用する再生プレーヤーを定義しておき、プレゼンテーションファイルに背景に対応する素材データを定義しておくようにしてもよい。これにより、たとえば、季節や、番組の表示場所、情報視聴者の性別や年齢など表示ロケーション事情に即した背景で番組を表示することができ、番組の訴求性を高めることができる。
【００９８】
また、この実施例では、情報作成装置７がプレゼンテーションパック２を作成するようにしたが、素材データ作成装置９が素材データを、テンプレート作成装置８がテンプレートファイルを、それぞれ直接データ配信サーバ３に送信するようにしてもよい。この場合には、情報作成装置７は、パック情報ファイル２１、メニューファイル２２、自動プレゼンスクリプト２３およびプレゼンテーションファイル２４−１〜２４−ｎだけをデータ配信サーバ３に送信して、データ配信サーバ３がプレゼンテーションファイル２４−１〜２４−ｎに定義されているテンプレートファイル２６−１―２６−ｋおよび素材データ２５−１〜２６−ｍを含めたプレゼンテーションパック２を作成すればよい。もちろん、素材データ作成装置９が素材データを、テンプレート作成装置８がテンプレートファイルを、それぞれ直接情報表示装置１に送信するようにしてもよい。この場合、情報作成装置７は、パック情報ファイル２１、メニューファイル２２、自動プレゼンスクリプト２３およびプレゼンテーションファイル２４−１〜２４−ｎだけをデータ配信サーバ３に送信しておき、情報表示装置１は、これらのファイルだけをダウンロードすればよい。これにより、複数のクリエーターによって素材データやテンプレートファイルを作成するような場合でも、素材データやテンプレートファイルの部分的な変更にも柔軟に対応することができるとともに、番組作成期間を短縮することができる。
【００９９】
また、この実施例では、プレゼンテーションファイルにテンプレートファイルのファイル名を定義するようにしたが、プレゼンテーションファイルには、テンプレートファイルの各表示エリアと素材データとの関連付けだけを定義するようにしてもよい。この場合、情報表示装置１のデータ格納部１３に、予めデフォルトのテンプレートファイルを格納しておき、再生処理部１４２は、プレゼンテーションファイルにテンプレートファイルの名前が定義されていない場合には、デフォルトのテンプレートファイルを読み出すようにすればよい。
【図面の簡単な説明】
【０１００】
【図１】テンプレートファイルと、素材データとを合成して番組が作成される概念を説明するための図である。
【図２】１つのテンプレートファイルと、素材データとを合成して異なる番組が作成される概念を説明するための図である。
【図３】同一素材データを異なるテンプレートファイルで合成してレイアウトを変更する概念を説明するための図である。
【図４】本発明の実施例の情報配信表示システムが扱うファイルの最も大きな単位となるプレゼンテーションパックの構成を示す図である。
【図５】図４に示したテンプレートファイルを説明するための図である。
【図６】本発明の実施例にかかる情報配信表示システムの構成を示すシステム構成図である。
【図７】図６に示した情報作成装置の構成を示すブロック図である。
【図８】図６に示した情報表示装置の構成を示すブロック図である。
【図９】情報作成装置の動作を説明するためのフローチャートである。
【図１０】情報表示装置の動作を説明するためのフローチャートである。
【符号の説明】
【０１０１】
１  情報表示装置
２  プレゼンテーションパック
３  データ配信サーバ
５  監視装置
６  ネットワーク
７  情報作成装置
８  テンプレート作成装置
９  素材データ作成装置
１１，７１  インターフェース部
１２，７２  表示部
１３，７３  データ格納部
１４  表示処理部
７２  入力部
７４  パック配信処理部
７５  ファイル作成処理部
１４１  スケジュール管理処理部
１４２  再生処理部
１４１  データアップロード処理部
７４２  パック作成処理部
７５１  スケジュール・メニュー作成処理部
７５２  プレゼンテーション作成処理部
２４−１，２４−ｎ，３３０，３３１，４４０，４４１  プレゼンテーションファイル
２５−１，２５−ｍ，２５１，２５２，２５３，３１１，３１２，３１３，３１４，４３１５，３１６，３１７，３１８，４３１，４３２，４３３，４３４，４３５  素材データ
２６−１，２６−ｋ，２６１，３２０，４１０，４２０  テンプレートファイル
２６１，３２１，４１１，４２１  動画表示エリア
２６３，２６４，３２２，３２３，４１２，４１３，４１４，４２２，４２３，４２４  静止画表示エリア
２６５，３２４，４１５，４２５  テキストスクロールエリア
２７０，３４０，２４１，４５０，４５１  番組
【図１】
2005196691.tif 000003
【図２】
2005196691.tif 000004
【図３】
2005196691.tif 000005
【図４】
2005196691.tif 000006
【図５】
2005196691.tif 000007
【図６】
2005196691.tif 000008
【図７】
2005196691.tif 000009
【図８】
2005196691.tif 000010
【図９】
2005196691.tif 000011
【図１０】
2005196691.tif 000012